(57)【要約】【課題】様々な天気において撮影する場合であっても、所望の画像を容易に撮影することができる撮像装置を提供する。【解決手段】撮像装置は、天気に関する天気情報を取得する天気情報取得部と、撮影する際の撮影条件を、天気情報に応じて天気情報が示す天気を反映させた画像が得られるような撮影条件に設定する条件設定部と、を備える。【選択図】図３
2014216685.tif 000002
【特許請求の範囲】
【請求項１】
天気に関する天気情報を取得する天気情報取得部と、
撮影する際の撮影条件を、前記天気情報に応じて前記天気情報が示す天気を反映させた画像が得られるような撮影条件に設定する条件設定部と、
を備えることを特徴とする撮像装置。
【請求項２】
前記条件設定部は、
前記天気情報が示す天気を反映させた画像が得られるような撮影条件として、前記天気情報が示す天気が強調された画像が得られるような撮影条件に設定する
ことを特徴とする請求項１に記載の撮像装置。
【請求項３】
前記条件設定部は、
前記天気情報が示す天気が台風の場合、シャッター速度設定を低速シャッター優先、感度設定を低感度優先、および、露出設定を露出アンダー、のうち少なくとも何れかに設定する
ことを特徴とする請求項１または２に記載の撮像装置。
【請求項４】
前記条件設定部は、
前記天気情報が示す天気が雨であって、且つ前記天気情報が示す風速が予め設定された閾値以上である場合に、前記天気情報が示す天気が台風の場合の撮影条件に設定する
ことを特徴とする請求項１から３の何れか一項に記載の撮像装置。
【請求項５】
前記条件設定部は、
前記天気情報が示す天気が晴れの場合、前記天気情報が示す気温に応じて、暑い晴れの日に撮影されたことが強調された画像、または、寒い晴れの日に撮影されたことが強調された画像が得られるような撮影条件に設定する
ことを特徴とする請求項１から４の何れか一項に記載の撮像装置。
【請求項６】
前記条件設定部は、
前記天気情報が示す天気が晴れの場合、前記天気情報が示す気温に応じて、露出設定、およびホワイトバランス設定の少なくとも何れかの撮影条件を設定する
ことを特徴とする請求項１から５の何れか一項に記載の撮像装置。
【請求項７】
前記条件設定部は、
前記天気情報が示す風速に応じて、前記天気情報が示す風速を反映させた画像が得られるような撮影条件に設定する
ことを特徴とする請求項１から６の何れか一項に記載の撮像装置。
【請求項８】
撮影された画像から顔を検出する顔検出部、
を備え、
前記条件設定部は、
前記顔検出部が顔を検出したか否かと前記天気情報とに応じて、前記撮影条件を設定する
ことを特徴とする請求項１から７の何れか一項に記載の撮像装置。
【請求項９】
前記顔検出部は、
検出した顔を認識することにより、登録された顔を検出し、
前記条件設定部は、
前記顔検出部が前記登録された顔を検出したか否かと前記天気情報とに応じて、前記撮影条件を設定する
ことを特徴とする請求項８に記載の撮像装置。
【請求項１０】
前記天気情報を提供する外部装置と通信する通信部と、
位置情報を取得する位置情報取得部と、
日時情報を取得する日時情報取得部と、
を備え、
前記天気情報取得部は、
撮影する際に前記位置情報取得部が取得した前記位置情報と、撮影する際に前記日時情報取得部が取得した前記日時情報とに対応する前記天気情報を、前記外部装置から取得する
ことを特徴とする請求項１から９の何れか一項に記載の撮像装置。
【請求項１１】
前記天気情報を検出する検出部と、
前記天気情報を提供する外部装置と通信する通信部、
を備え、
前記天気情報取得部は、
前記通信部を介して前記外部装置から前記天気情報を取得するとともに、前記検出部が検出した前記天気情報を取得し、
前記条件設定部は、
前記外部装置から取得した前記天気情報と前記検出部が検出した前記天気情報とが不整合の場合、前記検出部が検出した前記天気情報に応じて前記撮影条件を設定する
ことを特徴とする請求項１から１０の何れか一項に記載の撮像装置。
【請求項１２】
コンピュータに、
天気に関する天気情報を取得するステップと、
撮影する際の撮影条件を、前記天気情報に応じて前記天気情報が示す天気を反映させた画像が得られるような撮影条件に設定するステップと、
を実行させるためのプログラム。
【発明の詳細な説明】
【技術分野】
【０００１】
本発明は、撮像装置、及びプログラムに関する。
【背景技術】
【０００２】
外部装置から取得した天気情報に基づいて撮影条件を設定する撮像装置がある。（例えば、特許文献１参照）。
【先行技術文献】
【特許文献】
【０００３】
【特許文献１】特開２００６−１９７１４０号公報
【発明の概要】
【発明が解決しようとする課題】
【０００４】
特許文献１に記載の撮像装置は、様々な天気において撮影する場合に、天気情報に基づいて、被写体の明るさや色再現の良好な画像が得られるような撮影条件、又は、手ぶれや被写体ぶれを抑制するような撮影条件に自動制御するものである。この撮像装置によれば、様々な天気において撮影した場合であっても概ね良好な画像を得ることができる反面、自動制御されたことにより画一的な画像となるため、その画像が撮影されたときの天気の様子が伝わらない画像となってしまう。
【０００５】
本発明は、このような事情に鑑みてなされたもので、その目的は、様々な天気において撮影する場合であっても、所望の画像を容易に撮影することができる撮像装置、及びプログラムを提供することにある。
【課題を解決するための手段】
【０００６】
この発明は上述した課題を解決するためになされたもので、本発明の一態様は、天気に関する天気情報を取得する天気情報取得部と、撮影する際の撮影条件を、前記天気情報に応じて前記天気情報が示す天気を反映させた画像が得られるような撮影条件に設定する条件設定部と、を備えることを特徴とする撮像装置である。
【０００７】
また、本発明の一態様は、コンピュータに、天気に関する天気情報を取得するステップと、天気情報取得部と、撮影する際の撮影条件を、前記天気情報に応じて前記天気情報が示す天気を反映させた画像が得られるような撮影条件に設定するステップと、を実行させるためのプログラムである。
【発明の効果】
【０００８】
この発明によれば、様々な天気において撮影する場合であっても、所望の画像を容易に撮影することができる。
【図面の簡単な説明】
【０００９】
【図１】第１実施形態による撮像装置の概略構成を示す正面図である。
【図２】第１実施形態による撮像装置の概略構成を示す上面図及び背面図である。
【図３】第１実施形態による撮像装置の構成を示す概略ブロック図である。
【図４】撮像装置におけるＧＰＳと無線通信とを説明する図である。
【図５】台風の場合における撮影条件設定処理の一例を示すフローチャートである。
【図６】天気が台風の場合の様子と撮影される画像とを説明する図である。
【図７】晴れの場合における撮影条件設定処理の一例を示すフローチャートである。
【図８】天気が晴れの場合の様子と撮影される画像とを説明する図である。
【図９】第２実施形態における制御部の構成の一例を示す概略ブロック図である。
【図１０】第２実施形態による台風の場合における撮影条件設定処理の一例を示すフローチャートである。
【図１１】第２実施形態による天気が台風の場合の様子と撮影される画像とを説明する図である。
【図１２】第２実施形態による晴れの場合における撮影条件設定処理の一例を示すフローチャートである。
【図１３】第２実施形態による天気が晴れの場合の様子と撮影される画像とを説明する図である。
【図１４】撮像装置における撮影処理の一例を示すフローチャートである。
【図１５】図１４に示す処理の続きの処理を示すフローチャートである。
【図１６】撮像装置における撮影処理の別の例を示すフローチャートである。
【発明を実施するための形態】
【００１０】
以下、図面を参照して、本発明の実施の形態について説明する。
［第１実施形態］
図１及び図２は、本発明の第１実施形態による撮像装置１０の概略構成の一例を示す模式図である。図１は、撮像装置１０の正面図を示している。また、図２は、（ａ）に撮像装置１０の上面図、（ｂ）に撮像装置１０の背面図を示している。まず、この図１及び図２を参照して、撮像装置１０の概略構成を説明する。
【００１１】
撮像装置１０の筐体正面側には、撮影用のレンズ部２１と、フラッシュ４１（閃光部）とが配置されている。また、撮像装置１０の上面には、ＧＰＳモジュール８０（ＧＰＳ：Ｇｌｏｂａｌ  Ｐｏｓｉｔｉｏｎｉｎｇ  ｓｙｓｔｅｍ）と、Ｗｉ−Ｆｉ（Ｗｉｒｅｌｅｓｓ  Ｆｉｄｅｌｉｔｙ、登録商標）などの規格に対応する無線通信部８１と、が配置されている。
【００１２】
また、撮像装置１０の筐体上面又は背面には、ユーザからの操作を受け付ける複数の操作部材を有する操作部５０が配置されている。例えば、操作部５０として、撮像装置１０の上面にはシャッター釦５１が配置され、背面には、モードダイヤル、上下左右選択釦、決定釦などが配置されている。また、撮像装置１０の筐体背面には、撮影した画像、画像情報、設定画面などを表示するためのモニタ６１が配置されている。
【００１３】
なお、撮像装置１０は、周囲温度を検出するための温度センサ９０を備えていてもよい。例えば、撮像装置１０の筐体内部の正面側には、温度センサ９０が設けられていてもよい。
【００１４】
次に、図３を参照して、撮像装置１０の構成について詳しく説明する。図３は、撮像装置１０の構成の一例を示す概略ブロック図である。なお、この図３において、図１又は図２と対応する構成には同じ符号を付けている。
【００１５】
撮像装置１０は、光学系２０と、撮像部３０と、フラッシュ４１と、メモリ部４２と、バッファメモリ部４３と、ＪＰＥＧコーディック部４４と、記憶媒体部４５と、操作部５０と、表示部６０と、音出力部６５と、制御部７０と、ＧＰＳモジュール８０と、無線通信部８１と、温度センサ９０と、バス１５と、を備えている。
【００１６】
光学系２０は、レンズ部２１と、絞り機構２２と、メカシャッター２３と、を備えている。レンズ部２１は、例えば、ズーム用レンズ、フォーカス調整用レンズ、防振用レンズ、などの複数のレンズから構成されている。絞り機構２２は、例えば、複数の絞り羽根を有しており、この複数の絞り羽根が後述の光学系駆動部３４により駆動されることによって、絞り開口径を変更可能である。
【００１７】
メカシャッター２３は、レンズ部２１から入射された光束の撮像部３０（撮像素子３１）への入射光路を機械的に遮断及び開放可能なシャッター機構を有している。例えば、メカシャッター２３は、後述の光学系駆動部３４によりシャッターの開閉が駆動されることによって、撮像素子３１への入射光路を機械的に遮断又は開放する。すなわち、メカシャッター２３は、撮像素子３１の撮像面（受光面）の露光時間（すなわちシャッター速度）を調整する機械式のシャッターである。
【００１８】
撮像部３０は、撮像素子３１と、信号処理部３２と、画像処理部３３と、光学系駆動部３４と、を備えている。撮像素子３１は、光学系２０を介して入射された光束（被写体光束）を受光するとともに、受光した光束をアナログの画像信号に光電変換して信号処理部３２に供給する。
【００１９】
信号処理部３２は、撮像素子３１の駆動を制御する。例えば、信号処理部３２は、制御部７０において設定された撮影条件に応じて、撮像素子３１における感度（ＩＳＯ感度）を制御する。また、信号処理部３２は、撮像素子３１から供給されたアナログの画像信号をデジタルの画像信号に変換して画像処理部３３に供給する。
【００２０】
画像処理部３３は、信号処理部３２から供給されたデジタルの画像信号（以下、単に画像信号という）に対して、画像処理を実行する。例えば、画像処理部３３は、画像信号に対して、ホワイトバランス調整、シャープネス調整、ガンマ補正、階調調整などの画像処理を実行する。なお、画像処理部３３は、例えば制御部７０において設定された撮影条件に応じて上述の画像処理を実行する。
【００２１】
光学系駆動部３４は、光学系２０が備えているレンズ部２１と、絞り機構２２と、メカシャッター２３と、を駆動する。例えば、光学系駆動部３４は、レンズ部２１が有するズーム用レンズ、フォーカス調整用レンズ、防振用レンズ、などを駆動する。また、光学系駆動部３４は、絞り機構２２の絞り機構（絞り羽根）を駆動する。例えば、光学系駆動部３４は、制御部７０において設定された撮影条件にしたがって、絞り機構２２の開口径を変化させる。
【００２２】
また、光学系駆動部３４は、メカシャッター２３のシャッター機構（シャッター幕）を駆動する。例えば、光学系駆動部３４は、シャッター幕をスライド移動させるための電磁石モータを有している。そして、光学系駆動部３４は、制御部７０において設定された撮影条件にしたがって、メカシャッター２３のシャッター機構（シャッター幕）を駆動することにより、撮像素子３１への入射光路を機械的に遮断又は開放させる。すなわち、光学系駆動部３４は、撮影の際に、撮影条件にしたがったシャッター速度でメカシャッター２３を駆動する。
【００２３】
このように構成された撮像部３０は、制御部７０から受けた撮影実行指令及び撮影条件に応じて、撮像素子３１、レンズ部２１、絞り機構２２、及びメカシャッター２３の各部の駆動を制御することにより、画像を取得する撮影処理を実行させる。また、撮像部３０は、制御部７０から受けた制御指令に応じて、上述した各部の駆動を制御することにより、スルー画像を取得する制御、フォーカス調整制御、測光制御、等を実行する。
【００２４】
ここで、スルー画像とは、撮像素子３１に受光された光束に基づいて繰り返し撮像されて取得される画像（リアルタイムに更新されるライブビュー画像）であって、取得される毎に更新されて逐次モニタ６１に表示される画像（記録を行わない画像）である。そして、このスルー画像は、例えば、撮影処理における露光開始前に、画角確認用としてモニタ６１に表示される、又は、フォーカス調整や測光制御の際に用いられる。
【００２５】
フラッシュ４１は、静止画撮影する際に被写体に対して発光する閃光部である。例えば、フラッシュ４１は、被写体が所定の明るさに満たない場合又は被写体が逆光条件の場合などにおいて制御部７０の制御により発光する。
【００２６】
なお、撮像装置１０は、フラッシュ４１を備えていない構成としてもよい。また、撮像装置１０は、内蔵のフラッシュ４１を備えた構成に代えて、装着して使用することが可能な外部フラッシュと着脱可能な構成としてもよい。また、撮像装置１０は、フラッシュ４１を備えた構成に代えて、フラッシュ４１の発光時間（閃光時間）よりも長い時間続けて照明することが可能な照明部を備えた構成としてもよい。
【００２７】
メモリ部４２は、例えば、ＲＯＭ（Ｒｅａｄ  Ｏｎｌｙ  Ｍｅｍｏｒｙ）を備えおり、撮像装置１０を制御するための、予め定められた撮影制御条件、画像処理条件、再生制御条件、及び記録制御条件、などを記憶する。
【００２８】
バッファメモリ部４３は、ＲＡＭ（Ｒａｎｄｏｍ  Ａｃｃｅｓｓ  Ｍｅｍｏｒｙ）を備えており、制御部７０が撮像装置１０を制御する際の作業領域として利用される。例えば、撮像部３０によって撮影された画像は、画像処理部３３において実行する画像処理の過程においてバッファメモリ部４３に一時的に記憶される。
【００２９】
ＪＰＥＧコーディック部４４は、撮影した画像に対してＪＰＥＧ（Ｊｏｉｎｔ  Ｐｈｏｔｏｇｒａｐｈｉｃ  Ｅｘｐｅｒｔｓ  Ｇｒｏｕｐ）による画像圧縮処理を実行する。例えば、撮像装置１０は、ＪＰＥＧコーディック部４４により画像圧縮処理が実行された圧縮後の画像のデータを、記憶媒体部４５を介して記憶媒体１５０に記録する。
【００３０】
記憶媒体部４５は、取り外しが可能な記憶媒体１５０（カードメモリ等）を装着するカードコネクタと、装着された記憶媒体１５０への画像又は情報の書込み（記録）、読み出し、或いは消去を行う記憶媒体Ｉ／Ｆ４６（記憶媒体インターフェース）とを備えている。なお、記憶媒体部４５は、記憶媒体１５０に代えて、撮像装置１０の内部に搭載されたメモリＩＣ（Ｉｎｔｅｇｒａｔｅｄ  Ｃｉｒｃｕｉｔ）を含んだ構成としてもよいし、記憶媒体１５０及び撮像装置１０の内部に搭載されたメモリＩＣを含んだ構成としてもよい。また、撮像装置１０は、有線又は無線通信により通信網（例えばインターネット）を介して接続される外部記憶装置に対して、画像又は情報の書込み（記録）、読み出し、或いは消去を行う構成としてもよい。
【００３１】
操作部５０は、ユーザから撮像装置１０への操作を受け付ける。例えば、操作部５０は、前述したようにシャッター釦５１を備えている。なお、操作部５０は、電源スイッチ、モードダイヤル、上下左右釦、決定釦などを備えていてもよい。また、操作部５０は、ユーザによって操作されたことを検出し、検出した操作内容を示す操作信号を制御部７０に供給する。
【００３２】
表示部６０は、モニタ６１と、表示バッファ６２と、オンスクリーン用表示メモリ６３とを備えている。モニタ６１は、例えば、液晶ディスプレイであって、複数の表示画素により構成された液晶画面と、液晶画面の複数の表示用画素を駆動する液晶駆動部と、バックライト、及びバックライト制御部などを含んで構成されている。なお、モニタ６１は、液晶ディスプレイ以外の表示ディスプレイであってもよく、例えば、有機ＥＬ（Ｅｌｅｃｔｒｏ  Ｌｕｍｉｎｅｓｃｅｎｃｅ）ディスプレイなどであってもよい。
【００３３】
表示バッファ６２は、モニタ６１に表示する画像を一時的に記憶する。オンスクリーン用表示メモリ６３は、設定画面（メニュー画面）、又は画像に重ねて表示するアイコンや情報などを記憶する。
【００３４】
例えば、表示部６０は、撮影された画像、記憶媒体１５０から読み出した画像、設定画面（メニュー画面）、又は各種情報（画像情報、撮影設定情報など）を、制御部７０の制御によりモニタ６１に表示する。
【００３５】
音出力部６５は、スピーカ６６と、音出力Ｉ／Ｆ６７（音出力インターフェース）と、を備えている。スピーカ６６は、例えば、画像に記録された音（音声）や、操作音、シャッター音、又は警告音などを出力する。音出力Ｉ／Ｆ６７は、画像に記録された音（音声）や、操作音、シャッター音、又は警告音などのデジタルの音信号（音データ）をアナログの音信号に変換して、変換した音信号をスピーカ６６から音として出力させる。
【００３６】
制御部７０は、撮像装置１０が備えている各部を制御する。例えば、制御部７０は、操作部５０から受け取る操作信号、又はメモリ部４２に記憶されている制御条件や処理条件等に基づいて、撮像装置１０が備えている各部を制御する。具体的には、制御部７０は、例えば、撮像部３０を介して取得したスルー画像をモニタ６１に表示させている状態において、シャッター釦５１が押下されたことを示す操作信号を受信した場合、画像を取得する撮影処理を実行して、取得した画像を記憶媒体１５０に記録させる。なお、制御部７０の制御については、後で詳しく説明する。
【００３７】
また、撮像装置１０は、ＧＰＳにより位置の計測を行うＧＰＳモジュール８０を備えていてもよい。ＧＰＳモジュール８０は、ＧＰＳ衛星（ＧＰＳ人工衛星、図４の符号２００参照）から受信した電波に含まれる情報に基づいて位置情報を取得する。例えば、ＧＰＳモジュール８０は、制御部７０からの制御指令に応じて、ＧＰＳ衛星から送信される電波に含まれる位置情報を受信する処理を実行してもよい。また、ＧＰＳモジュール８０は、制御部７０からの制御指令に応じて、ＧＰＳ衛星から送信される電波に含まれる日時情報を受信する処理を実行してもよい。
【００３８】
ここで、ＧＰＳモジュール８０は、ＧＰＳアンテナと、メモリと、時計発生回路と、を含む構成としてもよい。ＧＰＳアンテナは、例えば、ＧＰＳ衛星から送信される電波を受信する。メモリは、例えば、ＧＰＳアンテナにより受信された電波に含まれる測位情報を復調又は解読して現在位置の緯度及び経度の割り出しを行うために必要な測地系に関するデータを記憶する。時計発生回路は、例えば、ＧＰＳ衛星から送信される電波の受信タイミングを決めるために現地時刻を高精度にカウントする。
【００３９】
また、ＧＰＳモジュール８０は、撮像装置１０の現在位置を測位して位置情報を取得するものであり、例えば３個（或いは４個）のＧＰＳ衛星から地上に無線送信される航法電波を受信して、撮像装置１０の現在位置を取得する。なお、図４では、簡略化してＧＰＳ衛星を１個のみ図示（図４の符号２００参照）している。
【００４０】
１個のＧＰＳ衛星からの距離が判ると、受信地点、つまり撮像装置１０の位置はそのＧＰＳ衛星を中心とする球面のいずれかに存在することになる。そこで、例えば３個（或いは４個）のＧＰＳ衛星から同様の航法電波を受信することにより、それぞれのＧＰＳ衛星を中心とする球面の交点を受信位置、つまり撮像装置１０の位置とすることができ、３次元座標で現在位置を検出することができる。
【００４１】
また、撮像装置１０は、無線通信部８１を備えていてもよい。無線通信部８１は、通信網（例えばインターネット、図４の符号４００参照）を介して、外部装置（外部サーバ、図４の符号３００参照）と通信する。ここで、無線通信部８１は、例えば、Ｗｉ−Ｆｉによる通信を用いてＷｉ−Ｆｉの接続スポットに接続することにより、通信網を介して外部サーバ３００と通信する。なお、無線通信部８１は、Ｗｉ−Ｆｉ以外の通信規格を用いた通信を行う構成としてもよい。
【００４２】
例えば、無線通信部８１は、制御部７０からの制御指令に応じて、外部サーバ３００から提供される情報を受信する。例えば、無線通信部８１は、外部サーバ３００から提供される天気に関する情報を受信する。ここで、天気に関する情報とは、天気、天候、気象などの情報であって、具体的には、例えば、晴れ、曇り、雨、台風、雷などの天気を示す情報、又は、気温、湿度、風速、降水量などの天気に関連する情報のうちの少なくとも何れかの情報のことをいう。また、天気に関する情報とは、天気に関する予報、又は、現在或いは過去の天気に関する情報のことをいう。例えば、外部サーバ３００は、天気に関する情報を、地域や場所などの位置に関する情報又は日時に関する情報と対応付けて提供する。以下の説明において、この天気に関する情報のことを天気情報と称する。
【００４３】
なお、無線通信部８１は、通信網を介して接続される無線接続スポット又は外部サーバ３００（例えばウェブ（Ｗｅｂ）サーバ）から、日時情報や位置情報（例えば接続スポットに対応する位置情報）を受信してもよい。
【００４４】
また、撮像装置１０は、温度センサ９０（検出部）を備えていてもよい。温度センサ９０は、撮像装置１０の周囲温度を検出してもよい。すなわち、温度センサ９０は、ユーザが撮像装置１０を用いて撮影する際の環境温度（気温）を検出してもよい。また、制御部７０は、温度センサ９０が検出した温度を取得し、取得した温度に応じて制御してもよい。
【００４５】
なお、温度センサ９０は、撮像装置１０が動作することによって発熱した分の温度が環境温度（気温）に重畳された温度を検出する。そのため、制御部７０は、温度センサ９０が検出した温度に対して、撮像装置１０の発熱分の温度を補正して環境温度（気温）を検出してもよい。例えば、撮像装置１０の発熱分の温度は、予め設計値として設定されていてもよいし、実動作環境にて温度センサ９０が検出した結果に基づいて設定されてもよい。
【００４６】
バス１５は、撮像装置１０が備えている撮像部３０、フラッシュ４１、メモリ部４２、バッファメモリ部４３、ＪＰＥＧコーディック部４４、記憶媒体部４５、操作部５０、表示部６０、音出力部６５、制御部７０、ＧＰＳモジュール８０、無線通信部８１、及び、温度センサ９０と接続され、各部から出力された画像信号、検出信号、操作信号、制御信号、などを転送する。
【００４７】
（制御部の構成）
次に、制御部７０の構成について詳しく説明する。制御部７０は、天気情報取得部７１と、位置情報取得部７２と、日時情報取得部７３と、撮影条件設定部７４と、を備えている。
【００４８】
天気情報取得部７１は、天気に関する情報を取得する。例えば、天気情報取得部７１は、無線通信部８１を介して外部サーバ３００から天気に関する情報を取得する。例えば、天気情報取得部７１は、現在の位置又は日時（すなわち撮影する際の撮影場所又は撮影日時）に対応する天気情報を取得する。ここで、天気情報取得部７１は、例えば、ＧＰＳモジュール８０を介して取得される位置情報又は日時情報に基づいて、現在の位置又は日時を検出してもよい。
【００４９】
なお、天気情報取得部７１は、撮像装置１０に設定された地域情報（ユーザにより設定された使用する地域を示す情報）又は日時に基づいて、現在の位置又は日時を検出してもよい。すなわち、撮像装置１０は、図１から図３に示すＧＰＳモジュール８０を備えていない構成としてもよい。また、外部サーバ３００からリアルタイムに現在の天気情報が提供される場合には、天気情報取得部７１は、現在の日時を示す情報を用いることなく、現在の天気情報を取得してもよい。
【００５０】
位置情報取得部７２は、撮像装置１０の現在の位置を示す位置情報を取得する。例えば、位置情報取得部７２は、ＧＰＳモジュール８０が取得する位置情報（現在位置情報）に基づいて、撮像装置１０の現在の位置（すなわち撮影場所）を示す位置情報を取得する。
【００５１】
なお、位置情報取得部７２は、ＧＰＳモジュール８０が取得する位置情報に代えて、無線通信部８１を介して接続される無線接続スポットの位置情報に基づいて、撮像装置１０の現在の位置（すなわち撮影場所）を示す位置情報を取得してもよい。この無線通信部８１を介して取得する位置情報は、ＧＰＳモジュール８０が取得する位置情報に対して精度が劣る場合があるが、天気情報を取得するための位置情報として利用できる。また、位置情報取得部７２は、ＧＰＳモジュール８０がＧＰＳ衛星からの電波を受信できない場所において、無線通信部８１を介して位置情報を取得してもよい。
【００５２】
なお、位置情報取得部７２は、ＧＰＳモジュール８０が取得する位置情報と、無線通信部８１を介して取得する位置情報とのうち何れか一方のみの情報を用いて、撮像装置１０の位置情報を取得する構成としてもよい。また、位置情報取得部７２は、撮影する場所に応じて、ＧＰＳモジュール８０が取得する位置情報と、無線通信部８１を介して取得する位置情報とを使い分けて用いることにより、撮像装置１０の位置情報を取得する構成としてもよい。すなわち、撮像装置１０は、図１から図３に示すＧＰＳモジュール８０を備えていない構成としてもよい。
【００５３】
なお、位置情報取得部７２は、ＧＰＳモジュール８０又は無線通信部８１を介して位置情報を一時的に取得できない場合には、直前（最も最近）に取得した位置情報を、現在の位置情報としてもよいし、ユーザによって撮像装置１０に設定されている地域情報などの位置情報を、現在の位置情報としてもよい。
【００５４】
日時情報取得部７３は、現在の日時情報を取得する。例えば、日時情報取得部７３は、撮像装置１０に内蔵されているタイマー（時計機能ＩＣ）により計時される現在の日時情報を取得する。なお、日時情報取得部７３は、無線通信部８１を介して、外部サーバ３００（例えばウェブ（Ｗｅｂ）サーバ）などから現在の日時情報を取得してもよいし、ＧＰＳモジュール８０を介して日時情報を取得してもよい。
【００５５】
撮影条件設定部７４は、光学系２０を介して入射された光束を撮影する際の撮影条件を設定する。この撮影条件とは、撮影する際の光学系２０又は撮像部３０における各種の設定により定まる撮影条件であって、例えば、露出設定、シャッター速度設定、感度設定、ホワイトバランス設定などにより定まる撮影条件のことである。
【００５６】
例えば、撮影条件設定部７４は、予め設定された撮影制御条件とユーザが設定した撮影モードとに応じて撮影条件を設定する。そして、撮像装置１０は、例えば、ユーザによってシャッター釦５１が押下された場合、撮影条件設定部７４が設定した撮影条件に応じて、光学系２０又は撮像部３０の各部を駆動又は制御することにより画像を取得する撮影処理を実行する。
【００５７】
例えば、撮影モードが自動制御（撮像装置１０の制御）による撮影モード（以下、「ＡＵＴＯ撮影モード」と称する）の場合、撮影条件設定部７４は、光学系２０を介して入射された光束に対して自動露出制御（ＡＥ（Ａｕｔｏｍａｔｉｃ  Ｅｘｐｏｓｕｒｅ）制御）を行うことにより、所定の適正な露出（露光量）になるように、感度及びシャッター速度を設定する。
【００５８】
なお、撮影条件設定部７４は、光学系２０を介して入射された光束の量が少ない場合、すなわち被写体が暗い場合、被写体ぶれ又はユーザの手ぶれによる撮影画像への影響が抑制されるような感度及びシャッター速度に設定する。例えば、撮影条件設定部７４は、被写体が暗い場合には、被写体が明るい場合に対比して、感度設定を高感度優先、且つシャッター速度設定を高速シャッター優先になるように（すなわち、被写体ぶれ又はユーザの手ぶれによる影響を抑制するような速いシャッター速度となるように）設定する。
【００５９】
また、撮影モードが「ＡＵＴＯ撮影モード」の場合、撮影条件設定部７４は、光学系２０を介して入射された光束に対して自動ホワイトバランス調整（ＡＷＢ（Ａｕｔｏ  Ｗｈｉｔｅ  Ｂａｌａｎｃｅ）調整）を行うことにより所定の適正な色再現となるように、ホワイトバランス調整値を設定する。
【００６０】
このように、撮影モードが「ＡＵＴＯ撮影モード」の場合には、撮影条件設定部７４は、様々な環境の被写体を撮影する場合であっても、被写体の明るさや色再現の良好な画像が得られるような撮影条件、又は、手ぶれや被写体ぶれを抑制するような撮影条件に設定する。よって、撮像装置１０は、撮影モードが「ＡＵＴＯ撮影モード」の場合には、例えば、様々な天気において撮影した場合であっても、被写体の明るさや色再現の良好な画像、又は、手ぶれや被写体ぶれの影響が抑制された画像を撮影して取得する。
【００６１】
ところで、ユーザが様々な天気において撮影する場合に、その天気を記録したい場合がある。例えば、ユーザは、台風など暗くて強風が吹いている天気の場合には、その様子が伝わるような画像を所望する場合がある。しかし、上述したような撮影モードが「ＡＵＴＯ撮影モード」には、例えば、台風による暗さはＡＥ制御によって適正な明るさになるように撮影され、強風によりなびいている旗（フラッグ）や木などは高速シャッターにより静止しているように撮影される。そのため、ユーザが天気の様子（天気の情景）を写しこみたいことを所望したとしても、例えば、上述したような台風の情景を写しこむことができず、ユーザが所望する画像を撮影することができない場合があった。また、このようなユーザが所望する画像を撮影するためには、ユーザが、撮影モードを「ＡＵＴＯ撮影モード」ではなくマニュアルモード（手動設定の撮影モード）に設定して撮影する方法があるが、操作が煩わしく、また、初心者にとって操作が難しいものであった。
【００６２】
そこで、本実施形態の撮像装置１０は、上述した撮影モードが「ＡＵＴＯ撮影モード」の場合と異なり、撮影する際の天気を反映した画像が得られるような撮影モードを備えている。ここで、この天気を反映した画像が得られるような撮影モードを、以下の説明において、「天気撮影モード」と称する。
【００６３】
なお、撮像装置１０は、撮影モードを選択して設定する設定画面（メニュー画面）をモニタ６１に表示し、ユーザの撮影モードを選択する操作に応じて、選択された撮影モード（例えば、「ＡＵＴＯ撮影モード」又は「天気撮影モード」）に設定してもよい。また、撮像装置１０は、撮影モードを切りかえるモードダイヤル（不図示）を操作部５０が有しており、ユーザのモードダイヤルを用いて撮影モードを選択する操作に応じて、選択された撮影モードに設定してもよい。また、撮像装置１０は、後述する各種条件に応じて、撮影モードを「ＡＵＴＯ撮影モード」又は「天気撮影モード」に設定してもよい。
以下の説明では、撮像装置１０が、撮影モードとして、「ＡＵＴＯ撮影モード」と「天気撮影モード」とを有しているものとして説明する。
【００６４】
（「天気撮影モード」に関する構成の説明）
「天気撮影モード」において、撮影条件設定部７４は、撮影する際の撮影条件を、天気情報取得部７１が取得した天気情報に応じて天気情報が示す天気を反映させた画像が得られるような撮影条件に設定する。例えば、撮影条件設定部７４は、天気情報が示す天気を反映させた画像が得られるような撮影条件として、天気情報が示す天気が強調された画像が得られるような撮影条件に設定する。
【００６５】
一例として、撮影条件設定部７４は、天気情報が示す天気が「台風」の場合、「台風」のときに撮影されたことが強調された画像が得られるような撮影条件を設定してもよい。具体的には、撮影条件設定部７４は、天気情報が示す天気が「台風」の場合、シャッター速度設定を低速シャッター優先、感度設定を低感度優先、および、露出設定を露出アンダー、のうち少なくとも何れかに設定してもよい。
【００６６】
（「台風撮影モード」の撮影条件の設定の例）
図５及び図６を用いて、天気が「台風」の場合を例にして、撮影モードの違いによる撮影条件の設定の一例を説明する。図５は、天気が「台風」の場合における撮影条件設定処理の一例を示すフローチャートである。また、図６は、天気が「台風」の場合の様子と撮影される画像とを説明する図である。ここで、「天気撮影モード」において、天気が「台風」であることに応じた撮影条件（天気が「台風」であることを反映した画像が得られるような撮影条件）により撮影処理を実行するモードを、「台風撮影モード」と称する。
【００６７】
まず、天気情報取得部７１は、無線通信部８１を介して外部サーバ３００から天気に関する天気情報を取得する（ステップＳ１１）。例えば、天気情報取得部７１は、ＧＰＳモジュール８０を介して取得される位置情報又は日時情報に対応する天気情報を取得する。
【００６８】
ここで、撮影する際の天気が「台風」であるとする。天気が「台風」であるため、例えば、図６（ａ）に示すように被写体が暗く強風が吹いている状況である。また、雨が降っている状況としてもよい。
この場合、天気情報取得部７１は、取得した天気情報により、天気が「台風」であることを示す情報を取得する（ステップＳ１２）。
【００６９】
次に、撮影条件設定部７４は、撮影モードが何れのモードに設定されているかを判定する。例えば、撮影条件設定部７４は、撮影モードが「天気撮影モード」に設定されているか否かを判定する（ステップＳ１３）。
【００７０】
ステップＳ１３において、撮影モードが「ＡＵＴＯ撮影モード」に設定されていると判定された場合、すなわち、「天気撮影モード」に設定されていないと判定された場合（ステップＳ１３：ＮＯ）、撮影条件設定部７４は、「ＡＵＴＯ撮影モード」としての撮影条件の設定を開始する（ステップＳ２０）。
【００７１】
続いて、撮影条件設定部７４は、感度設定を高感度に設定し（ステップＳ２１）、露出設定をＡＥオーバー（暗い被写体を明るく適正露出にするためにＡＥオーバー）に設定する（ステップＳ２２）。また、撮影条件設定部７４は、シャッター速度設定を速いシャッター速度（手振れや被写体ぶれの影響が抑制されるシャッター速度、例えば、「１／６０秒」より速いシャッター速度、或いは、「１／（焦点距離）秒」より速いシャッター速度など）に設定する（ステップＳ２３）。なお、これらの感度設定、露出設定、及びシャッター速度設定は、ＡＥ制御の結果に基づいて、順番に関係なくそれぞれ関連して設定されてもよい。
そして、撮影条件設定部７４は、撮影条件の設定を終了する（ステップＳ２９）。
【００７２】
一方、ステップＳ１３において、撮影モードが「天気撮影モード」に設定されていると判定された場合（ステップＳ１３：ＹＥＳ）、撮影条件設定部７４は、「台風撮影モード」としての撮影条件の設定を開始する（ステップＳ２５）。
【００７３】
続いて、撮影条件設定部７４は、感度設定を低感度に設定し（ステップＳ２６）、露出設定をＡＥアンダー（暗い被写体をそのまま暗く撮影するためにＡＥアンダー、例えば−２／３）に設定する（ステップＳ２７）。また、撮影条件設定部７４は、シャッター速度設定を遅いシャッター速度（手振れや被写体ぶれの影響が生じる遅いシャッター速度、例えば「１／８秒」、又は、「１／６０秒」より遅いシャッター速度、或いは「１／（焦点距離）秒」より遅いシャッター速度）に設定する（ステップＳ２８）。なお、これらの感度設定、露出設定、及びシャッター速度設定は、ＡＥ制御の結果に基づいて、順番に関係なくそれぞれ関連して設定されてもよい。
そして、撮影条件設定部７４は、撮影条件の設定を終了する（ステップＳ２９）。
【００７４】
図６（ｂ）は、上述の「ＡＵＴＯ撮影モード」の場合の撮影条件により撮影された画像の一例を説明する図である。一方、図６（ｃ）は、上述の「台風撮影モード」の場合の撮影条件により撮影された画像の一例を説明する図である。ここでは説明を容易にするため、撮像装置１０が台風の状況のなかでフラッグを撮影した場合の画像の一例を、図６（ｂ）と図６（ｃ）とにそれぞれ示している。
【００７５】
図６（ｂ）は、「ＡＵＴＯ撮影モード」の速いシャッター速度で撮影された画像であるため、フラッグが静止した画像、すなわちフラッグがたなびいている様子がわからない画像である。また、「ＡＵＴＯ撮影モード」の露出設定で撮影された画像であるため、暗い状態の被写体でも明るい適正露出になるように撮影された画像（暗い状態の被写体がＡＥオーバーの設定で撮影された画像）である。
【００７６】
一方、図６（ｃ）は、「台風撮影モード」の遅いシャッター速度で撮影された画像であるため、フラッグがぶれた画像、すなわちフラッグがたなびいている様子がわかる画像となっている。また、「台風撮影モード」の露出設定で撮影された画像であるため、暗い状態の被写体そのままの様子が伝わるようにＡＥアンダーの設定で撮影された画像である。
【００７７】
このように、撮影条件設定部７４は、「天気撮影モード」において、天気情報取得部７１が取得した天気情報が示す天気が「台風」の場合、「台風」であることを反映した画像が得られるような撮影条件に設定する。例えば、撮影条件設定部７４は、天気が「台風」の場合、シャッター速度を低速シャッター優先、感度設定を低感度優先、又は、露出設定をＡＥアンダーに設定する。
【００７８】
これにより、撮像装置１０は、天気が「台風」の場合、取得した天気情報に応じて、「台風」の様子（暗い様子や強風が吹いている様子）を反映した画像が得られるような撮影条件を設定して撮影することができる。よって、撮像装置１０は、ユーザが「台風」の様子が伝わるような画像（「台風」の様子を写しこんだ画像）を所望した場合に、ユーザが煩わしいマニュアル操作をすることなく例えば撮影モードを「天気撮影モード」に設定するのみで、取得した天気情報に応じて所望の画像を容易に撮影することができる。
【００７９】
なお、ユーザが、天気が「台風」の場合であっても、被写体の明るさや色再現の良好な画像が得られるような撮影条件、又は、手ぶれや被写体ぶれを抑制するような撮影条件での撮影を所望する場合がある。この場合には、撮像装置１０は、ユーザが撮影モードを「ＡＵＴＯ撮影モード」に設定することによって、ユーザが所望する画像を容易に撮影することができる。
すなわち、撮像装置１０は、様々な天気において撮影する場合であっても、所望の画像を容易に撮影することができる。
【００８０】
なお、撮影条件設定部７４は、天気情報取得部７１が取得した天気情報が示す天気が「雨」であって、且つ天気情報が示す「風速」が予め設定された閾値以上である場合に、天気情報が示す天気が「台風」の場合の撮影条件に設定してもよい。この天気が「雨」であって、「風速」が予め設定された閾値以上である場合に「台風」の場合の撮影条件に設定する処理の具体例については、図１４及び図１５を用いて後述する。
【００８１】
（「晴れ撮影モード」の撮影条件の設定の例）
次に、図７及び図８を用いて、天気が「晴れ」の場合を例にして、撮影モードの違いによる撮影条件の設定の一例を説明する。図７は、天気が「晴れ」の場合における撮影条件設定処理の一例を示すフローチャートである。また、図８は、天気が「晴れ」の場合の様子と撮影される画像とを説明する図である。ここで、「天気撮影モード」において、天気が「晴れ」であることに応じた撮影条件（天気が「晴れ」であることを反映した画像が得られるような撮影条件）により撮影処理を実行するモードを、「晴れ撮影モード」と称する。
【００８２】
まず、天気情報取得部７１は、無線通信部８１を介して外部サーバ３００から天気に関する天気情報を取得する（ステップＳ３１）。例えば、天気情報取得部７１は、ＧＰＳモジュール８０を介して取得される位置情報又は日時情報に対応する天気情報を取得する。
【００８３】
ここで、撮影する際の天気が「晴れ」（「夏の暑い晴れ」）であるとする。例えば、図８（ａ）に示すように「夏の暑い晴れ」の海岸で被写体がかなり明るい状況である。
この場合、天気情報取得部７１は、取得した天気情報により、天気が「晴れ」であることを示す情報を取得する（ステップＳ３２）。なお、天気情報取得部７１は、天気情報として気温を示す情報を加えて取得してもよい。また、天気情報取得部７１は、天気が「晴れ」であることを示す情報に加えて、日時情報に基づいて季節情報を取得してもよい。
【００８４】
次に、撮影条件設定部７４は、撮影モードが何れのモードに設定されているかを判定する。例えば、撮影条件設定部７４は、撮影モードが「天気撮影モード」に設定されているか否かを判定する（ステップＳ３３）。
【００８５】
ステップＳ３３において、撮影モードが「ＡＵＴＯ撮影モード」に設定されていると判定された場合、すなわち、「天気撮影モード」に設定されていないと判定された場合（ステップＳ３３：ＮＯ）、撮影条件設定部７４は、「ＡＵＴＯ撮影モード」としての撮影条件の設定を開始する（ステップＳ４０）。
【００８６】
続いて、撮影条件設定部７４は、露出設定をＡＥアンダー（明るい被写体を適正露出にするためにＡＥアンダー、すなわち標準の露出設定）に設定する（ステップＳ４１）。また、撮影条件設定部７４は、ホワイトバランス設定を標準（ＷＢ標準）に設定する（ステップＳ４２）。そして、撮影条件設定部７４は、撮影条件の設定を終了する（ステップＳ４８）。
【００８７】
一方、ステップＳ３３において、撮影モードが「天気撮影モード」に設定されていると判定された場合（ステップＳ３３：ＹＥＳ）、撮影条件設定部７４は、「晴れ撮影モード」としての撮影条件の設定を開始する（ステップＳ４５）。
【００８８】
続いて、撮影条件設定部７４は、露出設定をＡＥオーバー（明るい被写体をそのまま明るく、又はより強調して明るく（白とびが発生する程度に明るく）撮影するためにＡＥオーバー、例えば＋２／３）に設定する（ステップＳ４６）。また、撮影条件設定部７４は、ホワイトバランス設定を赤が強めになるよう（ＷＢ赤強め）に設定する（ステップＳ４７）。そして、撮影条件設定部７４は、撮影条件の設定を終了する（ステップＳ４８）。
【００８９】
図８（ｂ）は、上述の「ＡＵＴＯ撮影モード」の場合の撮影条件により撮影された画像の一例を説明する図である。一方、図８（ｃ）は、上述の「晴れ撮影モード」の場合の撮影条件により撮影された画像の一例を説明する図である。ここでは、撮像装置１０が「夏の暑い晴れ」の状況のなかで海岸を撮影した場合の画像の一例を、図８（ｂ）と図８（ｃ）とにそれぞれ示している。
【００９０】
図８（ｂ）は、「ＡＵＴＯ撮影モード」の露出設定で撮影された画像であるため、明るい状態の被写体でも標準の露出（適正露出）になるように撮影された画像（明るい状態の被写体がＡＥアンダーの設定で撮影された画像）である。また、「ＡＵＴＯ撮影モード」の標準のホワイトバランスで撮影された画像であるため、標準の色再現の画像となっている。すなわち、この画像は、「夏の暑い晴れ」の様子が伝わらないような画像である。
【００９１】
一方、図８（ｃ）は、「晴れ撮影モード」の露出設定で撮影された画像であるため、明るい状態の被写体そのままの様子、又は、さらに明るさが強調された状態の様子が伝わるようにＡＥオーバーの設定で撮影された画像である。また、「晴れ撮影モード」のホワイトバランスで撮影された画像であるため、赤みによった色再現の画像となっている。すなわち、この画像は、「夏の暑い晴れ」の様子が伝わるような画像である。
【００９２】
このように、撮影条件設定部７４は、「天気撮影モード」において、天気情報取得部７１が取得した天気情報が示す天気が「晴れ」の場合、「晴れ」であることを反映した画像が得られるような撮影条件に設定する。例えば、撮影条件設定部７４は、天気が「晴れ」の場合、露出設定をＡＥオーバー（明るい画像になるように）設定、又は、ホワイトバランス設定を赤が強めになるように（暑さが伝わるような画像になるように）設定する。
【００９３】
これにより、撮像装置１０は、天気が「晴れ」（「夏の暑い晴れ」）の場合、取得した天気情報に応じて、「晴れ」の様子（明るい様子や暑い様子）を反映した画像が得られるような撮影条件を設定して撮影することができる。よって、撮像装置１０は、ユーザが晴れの様子が伝わるような画像（「晴れ」の様子を写しこんだ画像）を所望した場合に、ユーザが煩わしいマニュアル操作をすることなく例えば撮影モードを「天気撮影モード」に設定するのみで、取得した天気情報に応じて所望の画像を容易に撮影することができる。
【００９４】
なお、ユーザが、天気が「晴れ」の場合であっても、被写体の明るさや色再現の良好な画像が得られるような撮影条件での撮影を所望する場合がある。この場合には、撮像装置１０は、ユーザが撮影モードを「ＡＵＴＯ撮影モード」に設定することによって、ユーザが所望する画像を容易に撮影することができる。
すなわち、撮像装置１０は、様々な天気において撮影する場合であっても、所望の画像を容易に撮影することができる。
【００９５】
なお、天気情報取得部７１は、天気情報を取得する場合、天気が「晴れ」であることを示す情報に加えて気温の情報を取得することにより、天気が「晴れ」であり、且つ気温が高いことを示す情報を取得してもよい。これにより、天気情報取得部７１は、単に天気が「晴れ」であることのみならず、暑いことを検出できる。また、天気情報取得部７１は、日時情報取得部が取得した日時情報に基づいて、単に天気が「晴れ」であることのみならず、夏であることや気温が高いことを推定してもよい。
【００９６】
なお、図７及び図８では、撮影条件設定部７４が、「晴れ撮影モード」の場合にホワイトバランス設定を赤が強めになるように設定する例を説明したが、赤が強めになるように設定することに限られるものではなく、例えば、黄色が強めになるように設定してもよい。また、撮影条件設定部７４は、「晴れ撮影モード」の場合にホワイトバランス設定を暖色系の色味又は低い色温度の色味になるように設定してもよい。上記は、天気が「晴れ」であり、且つ気温が高い場合を想定した撮影条件の設定である。しかし、気温低い場合、例えば冬の寒い日の「晴れ」の場合には、撮影条件設定部７４は、ホワイトバランス設定を青が強めになるように設定してもよいし、寒色系の色味又は高い色温度の色味になるように設定してもよい。
【００９７】
すなわち、撮影条件設定部７４は、天気情報が示す天気が「晴れ」の場合、天気情報が示す気温に応じて、「暑い晴れ」の日に撮影されたことが強調された画像、又は、「寒い晴れ」の日に撮影されたことが強調された画像、が得られるような撮影条件に設定してもよい。例えば、撮影条件設定部７４は、天気情報が示す天気が「晴れ」の場合、天気情報が示す気温に応じて、露出設定、およびホワイトバランス設定の少なくとも何れかの撮影条件を設定してもよい。この気温に応じた処理の具体例については、図１４及び図１５を用いて後述する。
【００９８】
［第２実施形態］
第１実施形態では、撮像装置１０は、撮影モードが「天気撮影モード」であるか否かに応じて、天気を反映した画像が得られるような撮影条件に設定するか否かを制御した。第２実施形態では、撮像装置１０は、撮影する被写体に（撮影範囲内に）顔があるか否か（すなわち人物を撮影するか否か）に応じて、天気を反映した画像が得られるような撮影条件に設定するか否かを制御する例である。
【００９９】
図９は、第２実施形態の撮像装置１０における制御部７０の構成の一例を示す概略ブロック図である。第２実施形態における撮像装置１０の制御部７０以外の構成は図３に示す構成と同様の構成としてもよい。第２実施形態における撮像装置１０の制御部７０の構成は、図３に対して顔検出部７５を備えている点が異なる。なお、この図９において、図３と対応する構成に同じ符号をつけておりその説明を省略する。
【０１００】
顔検出部７５は、光学系２０と撮像部３０とを介して撮影された画像から顔（顔画像）を検出する。撮影条件設定部７４は、顔検出部７５が顔を検出したか否かと天気情報とに応じて、撮影条件を設定してもよい。例えば、撮影条件設定部７４は、顔検出部７５が顔を検出したか否かと、取得した天気情報とに応じて、「天気撮影モード」としての撮影条件と、「ＡＵＴＯ撮影モード」としての撮影条件との何れの撮影条件に設定するかを選択してもよい。
【０１０１】
顔検出部７５が顔を検出した場合、すなわち、人物を撮影することが主目的と推定される場合には、撮影条件設定部７４は、「ＡＵＴＯ撮影モード」による撮影条件を設定してもよい。一方、顔検出部７５が顔を検出していない場合、すなわち、風景を撮影することが主目的と推定される場合には、撮影条件設定部７４は、「天気撮影モード」による撮影条件を設定してもよい。
【０１０２】
（「台風撮影モード」撮影条件の設定の例）
図１０及び図１１を用いて、天気が「台風」の場合を例にして、第２実施形態による撮影条件の設定の一例を説明する。図１０は、第２実施形態による天気が「台風」の場合における撮影条件設定処理の一例を示すフローチャートである。また、図１１は、第２実施形態による天気が「台風」の場合の様子と撮影される画像とを説明する図である。
【０１０３】
図１０に示す処理は、図５に対して、ステップＳ１３の処理に代えて、ステップＳ１４、Ｓ１５の処理を実行する点が異なる。なお、図１０において、図５に示す各処理と同様の処理には同じ符号を付けておりその説明を省略する。
【０１０４】
ステップＳ１１、Ｓ１２において、天気情報取得部７１が天気情報を取得することにより、天気が「台風」であることを示す情報を取得する。
次に、顔検出部７５は、光学系２０と撮像部３０とを介して撮影された画像から顔を検出する（ステップＳ１４）。
【０１０５】
続いて、撮影条件設定部７４は、顔検出部７５が顔を検出したか否かを判定する（ステップＳ１５）。ステップＳ１５において、顔検出部７５が顔を検出したと判定された場合（ステップＳ１５：ＹＥＳ）、すなわち、人物を撮影することが主目的と推定された場合、撮影条件設定部７４は、「ＡＵＴＯ撮影モード」としての撮影条件の設定を開始する（ステップＳ２０）。そして、図５を用いて説明した処理と同様に、ステップＳ２１、Ｓ２２、Ｓ２３において、感度設定を高感度、露出設定をＡＥオーバー、シャッター速度設定を速いシャッター速度に設定して、撮影条件の設定処理を終了する。
【０１０６】
撮像装置１０は、この「ＡＵＴＯ撮影モード」の撮影条件により、人物が良好に撮影された画像を撮影する。反面、この撮影された画像は、フラッグが静止した画像、すなわちフラッグがたなびいている様子がわからない画像、且つ被写体が暗い状態でも明るい適正露出になるように撮影された画像である（図１１（ａ）参照）。
【０１０７】
一方、ステップＳ１５において、顔検出部７５が顔を検出していないと判定された場合（ステップＳ１５：ＮＯ）、撮影条件設定部７４は、「台風撮影モード」としての撮影条件の設定を開始する（ステップＳ２５）。そして、図５を用いて説明した処理と同様に、ステップＳ２６、Ｓ２７、Ｓ２８において、感度設定を低感度、露出設定をＡＥアンダー、シャッター速度設定を遅いシャッター速度に設定して、撮影条件の設定処理を終了する。
【０１０８】
撮像装置１０は、この「台風撮影モード」の撮影条件により、「台風」を反映した画像が得られるような撮影条件で撮影する。例えば、撮像装置１０は、この「台風撮影モード」の撮影条件により、フラッグがぶれた画像、すなわちフラッグがたなびいている様子がわかる画像、且つ暗い状態の被写体そのままの様子が伝わるような画像を撮影する（図１１（ｂ）参照）。
【０１０９】
（「晴れ撮影モード」撮影条件の設定の例）
次に、図１２及び図１３を用いて、天気が「晴れ」の場合を例にして、第２実施形態による撮影条件の設定の一例を説明する。図１２は、第２実施形態による天気が「晴れ」の場合における撮影条件設定処理の一例を示すフローチャートである。また、図１３は、第２実施形態による天気が「晴れ」の場合の様子と撮影される画像とを説明する図である。
【０１１０】
図１２に示す処理は、図７に対して、ステップＳ３３の処理に代えて、ステップＳ３４、Ｓ３５の処理を実行する点が異なる。なお、図１２において、図７に示す各処理と同様の処理には同じ符号を付けておりその説明を省略する。
【０１１１】
ステップＳ３１、Ｓ３２において、天気情報取得部７１が天気情報を取得することにより、天気が「晴れ」（「夏の暑い晴れ」）であることを示す情報を取得する。
次に、顔検出部７５は、光学系２０と撮像部３０とを介して撮影された画像から顔を検出する（ステップＳ３４）。
【０１１２】
続いて、撮影条件設定部７４は、顔検出部７５が顔を検出したか否かを判定する（ステップＳ３５）。ステップＳ３５において、顔検出部７５が顔を検出したと判定された場合（ステップＳ３５：ＹＥＳ）、すなわち、人物を撮影することが主目的と推定された場合、撮影条件設定部７４は、「ＡＵＴＯ撮影モード」としての撮影条件の設定を開始する（ステップＳ４０）。そして、図７を用いて説明した処理と同様に、ステップＳ４１、Ｓ４２において、露出設定をＡＥアンダー、ホワイトバランス設定を標準（ＷＢ標準）に設定して、撮影条件の設定処理を終了する。
【０１１３】
撮像装置１０は、この「ＡＵＴＯ撮影モード」の撮影条件により、人物が良好に撮影された画像を撮影する。すなわち、この撮影された画像は、被写体が明るい状態の場合に標準の露出（適正露出）になるように撮影された画像、且つ標準の色再現の画像である（図１３（ａ）参照）。すなわち、この画像は、「夏の暑い晴れ」の様子が伝わらないような画像である。
【０１１４】
一方、ステップＳ３５において、顔検出部７５が顔を検出していないと判定された場合（ステップＳ３５：ＮＯ）、撮影条件設定部７４は、「晴れ撮影モード」としての撮影条件の設定を開始する（ステップＳ４５）。そして、図７を用いて説明した処理と同様に、ステップＳ４６、Ｓ４７において、露出設定をＡＥオーバー、ホワイトバランス設定を赤が強めになるよう（ＷＢ赤強め）に設定して、撮影条件の設定処理を終了する。
【０１１５】
撮像装置１０は、この「晴れ撮影モード」の撮影条件により、「晴れ」（「夏の暑い晴れ」）を反映した画像が得られるような撮影条件で撮影する。例えば、撮像装置１０は、この「晴れ撮影モード」の撮影条件により明るい状態の、被写体そのままの様子、又は、さらに明るさが強調された状態の様子が伝わるような画像、且つ赤みによった色再現の画像（暑さが伝わるような画像）を撮影する（図１３（ｂ）参照）。すなわち、この画像は、「夏の暑い晴れ」の様子が伝わるような画像である。
【０１１６】
このように、第２実施形態の撮像装置１０によれば、撮影された画像において顔が検出されたか否か（すなわち、人物を撮影することを主目的としているか否か）と、取得した天気情報とに応じて、「ＡＵＴＯ撮影モード」と「天気撮影モード」とを切りかえる。
【０１１７】
これにより、撮像装置１０は、撮影する被写体に応じて、適した撮影条件で撮影することができる。例えば、撮像装置１０は、撮影する被写体が人物をメインとしている場合には、被写体の明るさや色再現の良好な画像が得られるような撮影条件、又は、手ぶれや被写体ぶれを抑制するような撮影条件（すなわち、「ＡＵＴＯ撮影モード」による撮影条件）で撮影することができる。一方、撮像装置１０は、撮影する被写体が人物以外をメインとしている場合には、取得した天気情報に応じて、天気情報が示す天気を反映した画像が得られるような撮影条件（すなわち、「天気撮影モード」による撮影条件）で撮影することができる。よって、撮像装置１０は、様々な天気において撮影する場合であっても、所望の画像を容易に撮影することができる。
【０１１８】
以上説明してきたように、第２実施形態の撮像装置１０は、様々な天気において撮影する場合であっても、所望の画像を容易に撮影することができる。
【０１１９】
なお、天気情報取得部７１は、温度センサ９０が検出した撮像装置１０の周囲温度（環境温度）を、撮影する際の気温の情報（天気情報）として取得してもよい。例えば、天気情報取得部７１は、無線通信部８１を介して外部サーバ３００から気温を示す情報を取得するとともに、温度センサ９０が検出した周囲温度を示す情報を取得してもよい。
【０１２０】
すなわち、天気情報取得部７１は、無線通信部８１を介して外部サーバ３００から天気情報を取得するとともに、撮像装置１０が備えている検出部が検出した天気情報を取得してもよい。
【０１２１】
また、撮影条件設定部７４は、外部サーバ３００から取得した天気情報と検出部が検出した天気情報とが不整合の場合、検出部が検出した天気情報に応じて撮影条件を設定してもよい。例えば、撮影条件設定部７４は、外部サーバ３００から取得した気温を示す情報と温度センサ９０が検出した周囲温度を示す情報とが不整合の場合、温度センサ９０が検出した周囲温度を示す情報に応じて撮影条件を設定してもよい。
これにより、外部サーバ３００から提供される地域毎の天気情報に対して、撮像装置１０を用いて撮影しようとしている特定の場所の天気が局地的に異なる場合であっても、撮像装置１０は、正しい天気情報を取得して、取得した天気情報に応じて撮影条件を適切に設定することができる。
【０１２２】
＜撮像装置１０における撮影処理の例＞
次に、図１４及び図１５を参照して、撮像装置１０が撮影条件を設定して撮影する処理の動作の一例について説明する。この図では、撮像装置１０が、外部サーバ３００から天気情報を取得した場合、その取得した天気情報と撮影範囲内に顔が検出されたか否かとに基づいて、撮影モードを「ＡＵＴＯ撮影モード」又は「天気撮影モード」に設定する例である。また、この図では、撮像装置１０が撮影モードを「天気撮影モード」に設定する場合、天気情報が示す天気が「晴れ」の場合に「晴れ撮影モード」に設定するとともに、更に気温を示す情報に基づいて「暑い日モード」と「寒い日モード」とを選択してそれぞれに対応する撮影条件を設定する例である。また、この図では、撮像装置１０が、天気情報が示す天気が「雨」であり、且つ「風速」が予め設定された閾値以上である場合に「台風撮影モード」とする例である。
【０１２３】
まず、制御部７０は、操作部５０からの操作信号に基づいて、モニタ６１に設定画面（メニュー画面）を表示させる（ステップＳ１０１）。例えば、制御部７０は、モニタ６１に、少なくとも「天気撮影モード」を選択可能な選択メニュー画面を表示させる。なお、制御部７０は、例えば「天気撮影を行いますか？」というメッセージを、選択メニュー画面とともにモニタ６１に表示させてもよい。また、制御部７０は、既にスルー画像をモニタ６１に表示させている場合には、選択メニュー画面やメッセージを表示中のスルー画像に重ねて表示させてもよい。そして、制御部７０は、操作部５０から操作信号が供給されることを待つ。
【０１２４】
制御部７０は、操作部５０からの操作信号に応じて設定を行い、ステップＳ１１０へ処理を進める。なお、制御部７０は、設定変更の必要がない場合にはステップＳ１０１の処理を省略してステップＳ１１０へ処理を進めてもよい。
【０１２５】
ステップＳ１１０において、制御部７０（日時情報取得部７３）は、内蔵されているタイマーから、現在の日時情報を取得する。なお、制御部７０は、無線通信（例えばＷｉ−Ｆｉ）で通信可能な場合には、無線通信部８１を介して、外部サーバ３００（例えばウェブ（Ｗｅｂ）サーバ）などから現在の日時情報を取得してもよい。
【０１２６】
次に、制御部７０は、撮影モードが「天気撮影モード」に設定されているか否かを判定する（ステップＳ１２０）。ステップＳ１２０において、撮影モードが「天気撮影モード」に設定されていないと判定された場合（例えば「ＡＵＴＯ撮影モード」に設定されている場合）、制御部７０は、ステップＳ３００に処理を進め、「ＡＵＴＯ撮影モード」としての処理を実行する。一方、ステップＳ１２０において、撮影モードが「天気撮影モード」に設定されていると判定された場合、制御部７０は、ステップＳ１３０へ処理を進める。
【０１２７】
ステップＳ１３０において、制御部７０は、撮像部３０にスルー画像用の撮像を開始（画像信号取り込み開始）させる。撮像部３０は、スルー画像の取得を、例えば「３０フレーム／秒」のフレームレートで繰り返し行う。制御部７０は、このスルー画像を用いて顔検出やオートフォーカス調整を行うとともに、スルー画像をモニタ６１に逐次表示させながら撮影指示（シャッター釦５１に対する操作）を待つ。
【０１２８】
次に、ステップＳ１４０において、制御部７０は、ＧＰＳ機能をＯＮにして、ＧＰＳモジュール８０にＧＰＳ衛星からの電波の受信を開始させる。そして、制御部７０（位置情報取得部７２）は、ＧＰＳモジュール８０から現在の位置情報を取得する（ステップＳ１５０）。また、制御部７０は、無線通信をＯＮにして、無線通信部８１によりインターネット（通信網）との接続を可能にする（ステップＳ１６０）。
【０１２９】
続いて、制御部７０（天気情報取得部７１）は、ステップＳ１１０において取得した現在の日時情報とステップＳ１５０において取得した現在の位置情報とに対応する天気情報を、インターネットを介して外部サーバ３００から取得する処理を開始する。そして、制御部７０は、天気情報を取得したか否かを判定する（ステップＳ１７０）。
【０１３０】
ステップＳ１７０において、天気情報を取得していないと判定された場合（取得できなかった場合）には、制御部７０は、ステップＳ３００に処理を進め、「ＡＵＴＯ撮影モード」に設定する。一方、ステップＳ１７０において、天気情報を取得したと判定された場合（取得できた場合）には、制御部７０（天気情報取得部７１）は、現在の日時情報と位置情報とに対応する天気情報を取得する。すなわち、撮像装置１０において、制御部７０は、ＧＰＳモジュール８０が受信する電波に基づいて現在地を特定し、特定した現在地及び現在日時に対応する天気情報を外部サーバ３００から取得する。
【０１３１】
次に、制御部７０は、取得した天気情報から、天気（晴れ、雨、曇りなど）を特定するとともに（ステップＳ１８０）、天気に関する情報である「気温ＴＡ」、「風速」などを特定する（ステップＳ１９０）。
【０１３２】
続いて、制御部７０（顔検出部７５）は、撮像部３０を介して取得したスルー画像から顔（顔画像）を検出する顔検出処理を実行する（ステップＳ２００）。そして、制御部７０は、撮影範囲内に顔があるか否かを判定する（ステップＳ２１０）。
【０１３３】
（「ＡＵＴＯ撮影モード」の撮影条件の設定）
ステップＳ２１０において、撮影範囲内に顔があると判定された場合（ステップＳ２１０：ＹＥＳ）、制御部７０は、例えば、検出した顔領域の位置を示すマークを、スルー画像に重ねてモニタ６１に表示させる。そして、制御部７０は、ステップＳ３００に処理を進めて、「ＡＵＴＯ撮影モード」に設定する。
【０１３４】
この、ステップＳ３００へ処理を進める場合は、人物が被写体となっている場合であって、ユーザが天気を反映した画像が得られるような撮影（天気写し込み撮影）を望まない場合である。すなわち、ユーザが人物の明るさや色再現が適正な画像が得られるような撮影を望む場合である。
【０１３５】
制御部７０（撮影条件設定部７４）は、「ＡＵＴＯ撮影モード」としての撮影条件の設定を開始する。例えば、制御部７０は、取得した天気情報に応じて、人物の明るさや色再現が適正な画像が得られるように、感度設定を適正感度となるような標準の感度に設定し（ステップＳ３１０）、露出設定を適正露出となるような標準の露出設定（例えば、明るい被写体に対してはＡＥアンダー、暗い被写体に対してはＡＥオーバー）に設定し（ステップＳ３２０）、また、ホワイトバランス設定を標準に設定する（ステップＳ３３０）。そして、制御部７０は、スルー画像をモニタ６１に逐次表示させながら、撮影指示（シャッター釦５１に対する操作）の有無を判定するステップＳ７００に処理を進める。
【０１３６】
（「天気撮影モード」の処理）
一方、ステップＳ２１０において、撮影範囲内に顔がないと判定された場合（ステップＳ２１０：ＮＯ）、制御部７０は、「天気撮影モード」としての処理を実行する（ステップＳ４００）。このステップＳ４００へ処理を進める場合は、人物が被写体となっていない場合であって、ユーザが天気を反映した画像が得られるような撮影（天気写し込み撮影）を望む場合である。
【０１３７】
（「晴れ撮影モード」と「台風撮影モード」との何れかを選択する処理）
次に、制御部７０は、撮影モードを「天気撮影モード」に設定した場合、取得した天気情報に基づいて、さらに「晴れ撮影モード」又は「台風撮影モード」に設定する。
【０１３８】
まず、制御部７０は、ステップＳ１８０において特定された天気が「晴れ」であるか否かを判定する（ステップＳ４１０）。ステップＳ４１０において、特定した天気が「晴れ」であると判定された場合（ステップＳ４１０：ＹＥＳ）、制御部７０は、撮影モードを「晴れ撮影モード」に設定する（ステップＳ６００）。
【０１３９】
一方、ステップＳ４１０において、特定された天気が「晴れ」でないと判定された場合（ステップＳ４１０：ＮＯ）、制御部７０は、ステップＳ１８０において特定された天気が「雨」であるか否かを判定する（ステップＳ４２０）。
【０１４０】
ステップＳ４２０において、特定された天気が「雨」でないと判定された場合（ステップＳ４２０：ＮＯ）、制御部７０は、ステップＳ３００に処理を進めて、「ＡＵＴＯ撮影モード」に設定する。一方、ステップＳ４２０において、特定された天気が「雨」であると判定された場合（ステップＳ４２０：ＹＥＳ）、制御部７０は、ステップＳ１９０で特定された「風速」が「１０メートル／秒」以上であるか否かを判定する（ステップＳ４３０）。
【０１４１】
ステップＳ４３０において、特定された「風速」が「１０メートル／秒」以上でない（「１０メートル／秒」未満である）と判定された場合（ステップＳ４３０：ＮＯ）、制御部７０は、ステップＳ３００に処理を進めて、「ＡＵＴＯ撮影モード」に設定する。一方、ステップＳ４３０において、特定された「風速」が「１０メートル／秒」以上であると判定された場合（ステップＳ４３０：ＹＥＳ）、制御部７０は、撮影モードを「台風撮影モード」に設定する（ステップＳ５００）。なお、「風速」の閾値は、「１０メートル／秒」に限られるものではなく、例えば、予め他の閾値に設定されていてもよいし、予めユーザにより任意の閾値に設定されてもよい。
【０１４２】
（「台風撮影モード」の撮影条件の設定）
ステップＳ５００において「台風撮影モード」に設定された場合、制御部７０（撮影条件設定部７４）は、「台風撮影モード」としての撮影条件の設定を開始する。例えば、制御部７０は、感度設定を低感度に設定し（ステップＳ５１０）、露出設定をＡＥアンダー（例えば、―２／３）に設定し（ステップＳ５２０）、シャッター速度設定を遅いシャッター速度（例えば、１／８秒）に設定する（ステップＳ５３０）する。そして、制御部７０は、ステップＳ７００に処理を進める。
【０１４３】
（「晴れ撮影モード」の撮影条件の設定）
ステップＳ６００において「晴れ撮影モード」に設定された場合、制御部７０は、取得した気温に応じて、「暑い日モード」の撮影条件と「寒い日モード」の撮影条件との何れかの条件に設定する。
【０１４４】
制御部７０は、撮像装置１０に内蔵されている温度センサ９０をオン（内蔵温度センサＯＮ）させる（ステップＳ６１０）。そして、制御部７０は、温度センサ９０のセンサ出力に応じて、撮像装置１０の周囲温度（撮影場所の気温実測値、以下「気温ＴＢ」と称する）を取得する（ステップＳ６２０）。
【０１４５】
なお、制御部７０は、ステップＳ１９０において特定された「気温ＴＡ」を以降の処理に用いてもよいが、この温度センサ９０のセンサ出力に応じて検出した「気温ＴＢ」の方が「気温ＴＡ」よりも撮影場所の実際の気温に近い場合が多い。例えば、制御部７０は、「気温ＴＡ」と「気温ＴＢ」とが不整合である場合（例えば著しく異なる場合）には、「気温ＴＢ」を優先して各処理を行ってもよい。ここでは、制御部７０は、「気温ＴＢ」を用いて以降の処理を実行するものとする。
【０１４６】
次に、制御部７０は、ステップＳ６２０において取得された「気温ＴＢ」が「摂氏３０度」以上であるか否かを判定する（ステップＳ６３０）。ステップＳ６３０において、取得された「気温ＴＢ」が「摂氏３０度」以上であると判定された場合（ステップＳ６３０：ＹＥＳ）、制御部７０（撮影条件設定部７４）は、「晴れ撮影モード」における「暑い日モード」としての撮影条件の設定を開始する（ステップＳ６３１）。例えば、制御部７０は、露出設定をＡＥオーバー（例えば、＋２／３）に設定し（ステップＳ６３２）、ホワイトバランス設定を赤が強めになるよう（ＷＢ赤強め）に設定する（ステップＳ６３３）。そして、制御部７０は、ステップＳ７００に処理を進める。
【０１４７】
一方、ステップＳ６３０において、取得された「気温ＴＢ」が「摂氏３０度」以上でない（「摂氏３０度」未満である）と判定された場合（ステップＳ６３０：ＮＯ）、制御部７０は、ステップＳ６２０において取得された「気温ＴＢ」が「摂氏１０度」以下であるか否かを判定する（ステップＳ６４０）。
【０１４８】
ステップＳ６４０において取得された「気温ＴＢ」が「摂氏１０度」以下であると判定された場合（ステップＳ６４０：ＹＥＳ）、制御部７０（撮影条件設定部７４）は、「晴れ撮影モード」における「寒い日モード」としての撮影条件の設定を開始する（ステップＳ６４１）。例えば、制御部７０は、ホワイトバランス設定を青が強めになるよう（ＷＢ青強め）に設定する（ステップＳ６４２）。そして、制御部７０は、ステップＳ７００に処理を進める。一方、ステップＳ６４０において、取得された「気温ＴＢ」が「摂氏１０度」以下でない（「摂氏１０度」より大きい）と判定された場合（ステップＳ６４０：ＮＯ）、制御部７０は、ステップＳ３００に処理を進めて、「ＡＵＴＯ撮影モード」に設定する。
【０１４９】
これにより、制御部７０は、「晴れ撮影モード」において、撮影場所の気温に応じて、「暑い日モード」としての撮影条件、又は「寒い日モード」としての撮影条件に設定することができる。すなわち、撮像装置１０は、天気が「晴れ」の場合であっても気温が異なる場合、例えば「暑い晴れ」と「寒い晴れ」との場合においては、天気情報に応じて、それぞれ「暑い晴れ」と「寒い晴れ」とを反映（強調）した画像が得られるような撮影条件を設定することができる。
【０１５０】
なお、ステップＳ６３０において用いる気温の閾値は、「摂氏３０度」に限られるものではなく、例えば、他の閾値に予め設定されていてもよいし、ユーザにより任意の閾値に予め設定されてもよい。また、ステップＳ６４０において用いる気温の閾値は、摂氏１０度に限られるものではなく、例えば、他の閾値に予め設定されていてもよいし、ユーザにより任意の閾値に予め設定されてもよい。
【０１５１】
（撮影処理）
次に、ステップＳ７００において、制御部７０は、シャッター釦５１が押下（全押し操作）されたか否かを判定する。制御部７０は、シャッター釦５１が押下されたことを示す操作信号を受信した場合、シャッター釦５１が押下されたと判定し（ステップＳ７００：ＹＥＳ）、撮影処理を開始させる（ステップＳ７１０）。一方、制御部７０は、シャッター釦５１が押下されたことを示す操作信号を受信しない場合、シャッター釦５１が押下されていないと判定し（ステップＳ７００：ＮＯ）、ステップＳ２１０へ処理を戻す。
【０１５２】
制御部７０は、ステップＳ７１０において撮影処理を開始させた場合、光学系２０及び撮像部３０に対して、「ＡＵＴＯ撮影モード」としての撮影条件、「台風撮影モード」としての撮影条件、又は「晴れ撮影モード」（「暑い日モード」或いは「寒い日モード」）としての撮影条件のうちの何れか設定した撮影条件に基づいてＡＥ制御を実行させる（ステップＳ７２０）。
【０１５３】
次に、撮像部３０（信号処理部３２）は、撮像素子３１において受光した光束に応じたアナログの画像信号を取得する（ステップＳ７３０）。続いて、撮像部３０は、信号処理部３２において取得したアナログの画像信号をデジタル信号に変換した後、画像処理部３３において、操作モードに応じて設定されたホワイトバランス設定によるホワイトバランス調整などの画像処理を実行する（ステップＳ７４０）。そして、制御部７０は、画像処理後の画像信号に対して、ＪＰＥＧコーディック部４４において画像圧縮処理を実行させ、圧縮後の画像のデータを、記憶媒体部４５を介して記憶媒体１５０に記録させる（ステップＳ７５０）。
【０１５４】
＜撮像装置１０における撮影処理の別の例＞
上記第２実施形態において、顔検出部７５は、検出した顔を認識することにより、登録された顔を検出してもよい。ここで登録された顔とは、例えば、ユーザが例えば主要被写体として撮像装置１０に登録した人物の顔である。そして、撮影条件設定部７４は、顔検出部７５が登録された顔を検出したか否かと、天気情報とに応じて、撮影条件を設定してもよい。
【０１５５】
例えば、撮影条件設定部７４は、登録された顔が撮影範囲内に検出された場合には、予め設定された人物を撮影することを主目的としていると判定して、被写体の明るさや色再現の良好な画像が得られるような撮影条件、又は、手ぶれや被写体ぶれを抑制するような撮影条件（すなわち、「ＡＵＴＯ撮影モード」による撮影条件）に設定してもよい。
【０１５６】
一方、撮影条件設定部７４は、単に顔が検出されたとしても、登録された顔が撮影範囲内に検出されない場合（検出された顔が登録された顔でない場合）には、人物以外を撮影することを主目的としていると判定して、天気情報が示す天気を反映した画像が得られるような撮影条件（すなわち、「天気撮影モード」による撮影条件）に設定してもよい。
【０１５７】
これにより、撮影条件設定部７４は、撮影範囲内に見知らぬ人が偶然検出されたような場合に、人物を撮影することを主目的としていると誤判定してしまうことを防止することができる。
【０１５８】
次に、図１６を参照して、登録された顔が撮影範囲内に検出されたか否かに応じて、撮影モードを「ＡＵＴＯ撮影モード」又は「天気撮影モード」に設定する例を説明する。
この図１６は、図１４及び図１５に示す処理に対して、ステップＳ２２０の処理が追加されていることが異なるため、そのステップＳ２２０の処理及び前後の処理のみを示している。図１４及び図１５を用いて説明した処理と同様の処理については説明を省略する。
【０１５９】
ステップＳ２１０において、制御部７０は、撮影範囲内に顔があるか否かを判定する。ステップＳ２１０において、顔検出部７５により顔（顔画像）が検出されたことに応じて撮影範囲内に顔があると判定された場合（ステップＳ２１０：ＹＥＳ）、制御部７０は、検出された顔が登録された顔であるか否か（検出された顔が登録されている顔と一致するか否か）を判定する（ステップＳ２２０）。
【０１６０】
ステップＳ２２０において、検出された顔が登録された顔であると判定された場合（ステップＳ２２０：ＹＥＳ）、制御部７０は、ステップＳ３００に処理を進めて、撮影モードを「ＡＵＴＯ撮影モード」に設定する。
【０１６１】
一方、ステップＳ２２０において、検出された顔が登録された顔でないと判定された場合（ステップＳ２２０：ＮＯ）、制御部７０は、ステップＳ４００に処理を進めて、撮影モードを「天気撮影モード」としての処理を実行する。
【０１６２】
以上、第１、第２実施形態を用いて説明してきたように、撮像装置１０は、様々な天気において撮影する場合であっても、所望の画像を容易に撮影することができる。
【０１６３】
なお、上記「天気撮影モード」は、第１、第２実施形態において説明した「台風撮影モード」、又は「晴れ撮影モード」（「暑い日モード」又は「寒い日モード）を含む）に限られるものではない。天気が「晴れ」の場合や「台風」の場合以外の他の天気（例えば、曇り、雨、雷など）に応じて、その天気を反映した画像が得られるような撮影条件を設定する「天気撮影モード」としてもよい。
【０１６４】
また、上記「天気撮影モード」は、天気に関する情報のうち、例えば、単に「風速」、「降水量」などに応じて、撮影条件を設定する「天気撮影モード」としてもよい。例えば、撮影条件設定部７４は、天気情報が示す「風速」に応じて、その「風速」を反映させた画像が得られるような撮影条件に設定してもよい。
これにより、撮像装置１０は、天気情報が示す「風速」が速い風速である場合（すなわち強風が吹いている場合）、天気情報が示す「風速」応じて、強風であることを反映（強調）した撮影条件（例えば、遅いシャッター速度）に設定することができる。よって、撮像装置１０は、天気情報が示す「風速」が速い風速である場合（すなわち強風が吹いている場合）、強風であることが伝わるような画像を撮影することができる。
【０１６５】
なお、図３に示す撮像装置１０は、温度センサ９０を備えた構成としているが、温度センサ９０を備えていない構成としてもよい。例えば、図１５に示す温度センサ９０により気温を検出する処理を実行する場合には、温度センサ９０を備えた構成としてもよいが、例えば、図５、図７、図９、又は図１１に示す処理を実行する場合には、温度センサ９０を備えていない構成としてもよい。
【０１６６】
また、撮像装置１０は、天気情報を検出する検出部として、温度センサ９０以外に、圧力センサや湿度センサなどを備えた構成としてもよい。例えば、撮像装置１０は、圧力センサにより「風速」を検出してもよいし、湿度センサにより湿度を検出してもよい。
【０１６７】
また、撮像装置１０は、天気情報を検出する検出部として、撮像素子３１を利用してもよい。例えば、撮像装置１０は、撮像素子３１が受光した光束に基づく色の評価値（ホワイトバランス設定のために用いる評価値）に応じて、「晴れ」又は「曇り」などの天気情報を検出してもよい。
【０１６８】
また、撮像装置１０は、外部サーバ３００から天気情報を取得しない構成、すなわち、無線通信部８１を備えていない構成としてもよい。つまり、撮像装置１０は、外部サーバ３００から天気情報を取得しない構成であっても、撮像装置１０が備えている天気情報を検出する検出部（例えば、温度センサ９０、撮像素子３１、又は、不図示の圧力センサや湿度センサなど）を用いて取得した天気情報に応じて、天気情報が示す天気を反映した画像が得られるような撮影条件に設定してもよい。
【０１６９】
なお、前述したように、撮像装置１０は、図３に示すＧＰＳモジュール８０、又は無線通信部８１を備えていない構成としてもよい。
【０１７０】
なお、撮像装置１０が有する撮影モードは、「ＡＵＴＯ撮影モード」と「天気撮影モード」とに限られるものではなく、他の撮影モードを有していてもよい。
【０１７１】
なお、図３に示す撮像装置１０は、レンズが一体化された構成であるが、レンズ交換式の撮像装置であってもよい。
【０１７２】
なお、制御部７０は、取得した天気情報を、撮影した画像データに関連付けて記録してもよい。例えば、制御部７０は、撮影した画像データと、その画像データが撮影されたときの天気に関する情報（天気情報）とを、関連付けて記憶媒体１５０に記憶させてもよい。これにより、関連付けられている天気情報に応じた画像処理を、後から画像データに対して行うことが可能である。例えば、画像データに対して、関連付けられている天気情報に応じて明るさや色味を変更する画像処理をすることが可能である。また、画像データに対して、関連付けられている天気情報に応じて（例えば、「台風」や「強風」の場合に応じて）、ぶれたような画像にする画像処理をすることが可能である。なお、ユーザは、画像データに対して後から行う画像処理を、例えば、パーソナルコンピュータにおいて、画像処理用のアプリケーションプログラムなどを用いることで行うことができる。
【０１７３】
なお、撮像素子３１は、例えばＣＣＤ（Ｃｈａｒｇｅ  Ｃｏｕｐｌｅｄ  Ｄｅｖｉｃｅ）を含んで構成されていてもよいし、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサを含んで構成されていてもよいし、ＣＣＤ及びＣＭＯＳ以外の撮像デバイスを含んで構成されていてもよい。
【０１７４】
なお、上述の制御部７０が備えている各部の全て又は一部は専用のハードウェアにより実現されるものであってもよく、また、メモリ及びＣＰＵ（中央演算装置）により構成され、上述の制御部７０が備えている各部の全て又は一部の機能を実現するためのプログラムをメモリにロードして実行することによりその機能を実現させるものであってもよい。
【０１７５】
また、上述の制御部７０が備えている各部の全て又は一部の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【０１７６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１７７】
以上、この発明の実施形態を図面を参照して詳述してきたが、具体的な構成はこの実施形態に限られるものではなく、この発明の要旨を逸脱しない範囲の設計等も含まれる。
【符号の説明】
【０１７８】
１０  撮像装置、７１  天気情報取得部  ７２  位置情報取得部、７３  日時情報取得部、７４  撮影条件設定部（条件設定部）、７５  顔検出部、８１  無線通信部（通信部）、９０  温度センサ（検出部）、３００  外部サーバ（外部装置）
【図１】
2014216685.tif 000003
【図２】
2014216685.tif 000004
【図３】
2014216685.tif 000005
【図４】
2014216685.tif 000006
【図５】
2014216685.tif 000007
【図６】
2014216685.tif 000008
【図７】
2014216685.tif 000009
【図８】
2014216685.tif 000010
【図９】
2014216685.tif 000011
【図１０】
2014216685.tif 000012
【図１１】
2014216685.tif 000013
【図１２】
2014216685.tif 000014
【図１３】
2014216685.tif 000015
【図１４】
2014216685.tif 000016
【図１５】
2014216685.tif 000017
【図１６】
2014216685.tif 000018